(57)【特許請求の範囲】
【請求項１】
販売する物品を搭載可能な荷台部と、
販売内容及び／又は店舗を宣伝する画面を表示する表示部とを備えた移動販売車であって、
前記表示部を昇降可能に支持する昇降機構を備え、
前記昇降機構は、前記表示部を保持する保持枠と、前記保持枠を上下方向にスライド可能に支持する可動域支柱と、前記保持枠をフックで係止して昇降させるウインチと、
前記保持枠の上端部に回動可能に設置された庇部、及び、前記庇部の先端に一端が固定され、他端が前記可動域支柱に固定されたワイヤーと、
を有し、
前記保持枠の上昇に伴って前記ワイヤーが伸張することで前記庇部が前記表示部の上方を覆うよう構成されている、移動販売車。
【請求項２】
前記可動域支柱は前記荷台部に略上下方向に複数本配設されており、それぞれの前記可動域支柱にはガイド溝が略上下方向に形成されており、
前記保持枠には、前記ガイド溝に挿入されるスライド凸部、及び、前記ウインチのフックを係止する係止部が形成されており、
前記ウインチを駆動することで、前記保持枠に形成された前記スライド凸部を前記ガイド溝に沿って移動させ、前記表示部を上下方向に移動させる、
請求項１に記載の移動販売車。
【請求項３】
前記表示部を斜め下方に傾斜させて設置する、
請求項１又は２に記載の移動販売車。
【発明の詳細な説明】
【技術分野】
【０００１】
本発明は、移動販売車に関し、特に、移動販売車に設置した表示部を昇降可能に取り付けるための技術に関する。
【背景技術】
【０００２】
従来より、小型トラックやマイクロバス等の荷台を改造して、食料品や雑貨等の商品を積載し、各地域に移動して商品を販売する店舗として、移動販売車が用いられている。
【０００３】
このような店舗は、通常の自動車としての機能と店舗としての機能を併せ持っており、様々な場所へ移動して商品を販売することができるため、商圏が限定されず、また、店舗を借りるための賃料が必要ないため、フレキシブルな営業活動が可能であり、都市部においても多数の移動販売車が見られる。また、同じ場所であっても曜日によって異なる事業者が回ってくるなど、需要者を飽きさせない営業手段が用いられ、新たな店舗の形態として人気を博している。
【０００４】
ところで、このような営業形式の移動販売車においては、固定した店舗のように営業が行われている場所と営業品目とが常に一致するものとは異なり、需要者にとっては、その場所でどのような商品が手に入るかが分からず、積極的に集客を行うツールが必要となる。そのため、近くにいる通行人に対して取扱商品やメニュー等を表示するための技術が求められる。
【０００５】
そこで、取扱商品やメニュー等を表示するための技術として、特許文献１に記載される技術が提案されている（特許文献１）。
【先行技術文献】
【特許文献】
【０００６】
【特許文献１】特開２０１５―７１３８１号
【発明の概要】
【発明が解決しようとする課題】
【０００７】
特許文献１においては、商品陳列が困難なショーケースの上方スペースに販売促進用の広告を設けており、所定距離離れた位置にいる人に対しても取扱商品等を周知することが可能な移動販売車を構築している。
【０００８】
ところで、看板や広告を荷台部やショーケースに設置するだけだと、たとえ上部に設置したとしても目立ちにくく、遠くから視認されにくい。また、荷台部やショーケースの一部スペースを看板や広告として使用する場合、看板や広告自体の大きさは小さくならざるを得ず、どのようなメニューがあるのか、近づかないと分かりにくいため、集客力が弱いという問題が生じる。
【０００９】
本発明は、このような要望に鑑みてなされたものであり、所定の大きさを確保した表示部を有しつつ、走行中などは表示部を下降状態とすることで、トンネルや立体駐車場の高さ制限を考慮した構成としながらも、車両を店舗として使用する際には、表示部を上昇状態とすることで、遠くからも視認できる、使い勝手の良い昇降機構を備えた移動販売車を提供することを目的とする。
【課題を解決するための手段】
【００１０】
本発明では、以下のような解決手段を提供する。
【００１１】
第１の特徴に係る発明は、販売する物品を搭載可能な荷台部と、販売内容及び／又は店舗を宣伝する画面を表示する表示部とを備えた移動販売車であって、表示部を昇降可能に支持する昇降機構を備え、昇降機構は、表示部を保持する保持枠と、保持枠を上下方向にスライド可能に支持する可動域支柱と、保持枠をフックで係止して昇降させるウインチと、を有する移動販売車を提供する。
【００１２】
第１の特徴に係る発明によれば、所定の大きさを確保した表示部を有しつつ、走行中などは表示部を下降状態とすることで、トンネルや立体駐車場の高さ制限を考慮した構成としながらも、車両を店舗として使用する際には、表示部を上昇状態とすることで、遠くからも視認できるよう構成することができる。また、荷台部の一部スペースを占めるものではないため、表示部の大きさを確保することができ、さらに遠くからも表示内容を視認しやすい移動販売車を実現できる。
【００１３】
第２の特徴に係る発明は、第１の特徴に係る発明であって、可動域支柱は荷台部に略上下方向に複数本配設されており、それぞれの可動域支柱にはガイド溝が略上下方向に形成されており、保持枠には、ガイド溝に挿入されるスライド凸部、及び、ウインチのフックを係止する係止部が形成されており、ウインチを駆動することで、保持枠に形成されたスライド凸部をガイド溝に沿って移動させ、表示部を上下方向に移動させる。
【００１４】
第２の特徴に係る発明によれば、可動域支柱に形成されたガイド溝、及び、保持枠に形成されたスライド凸部を用いて昇降機構を構成するため、簡単で安価な構造でありながらも、使い勝手の良い昇降機構を提供することができる
【００１５】
第３の特徴に係る発明は、第１又は第２の特徴に係る発明であって、保持枠の上端部に回動可能に設置された庇部、及び、庇部の先端に一端が固定され、他端が可動域支柱に固定されたワイヤーを有し、保持枠の上昇に伴って前記ワイヤーが伸張することで庇部が表示部の上方を覆うよう構成された庇機構、を備える。
【００１６】
第３の特徴に係る発明によれば、昇降機構の昇降機能を使用して庇部が展開するよう構成することにより、簡単な構成で表示部を保護することが可能な移動販売車を構成することができる。
【００１７】
第４の特徴に係る発明は、第１ないし第３の特徴に係る発明であって、表示部を斜め下方に傾斜させて設置する。
【００１８】
第４の特徴に係る発明によれば、表示部が斜め下方に傾斜して支持されるよう、角度をつけて設置することによって、直上からの雨をしのぐことが可能な移動販売車を構築することができる。
【発明の効果】
【００１９】
本発明によれば、所定の大きさを確保した表示部を有しつつ、走行中などは表示部を下降状態とすることで、トンネルや立体駐車場の高さ制限を考慮した構成としながらも、車両を店舗として使用する際には、表示部を上昇状態とすることで、遠くからも視認できる、使い勝手の良い昇降機構を備えた移動販売車を提供できる。
【図面の簡単な説明】
【００２０】
【図１Ａ】本実施形態における移動販売車の全体構成を示す模式図である。
【図１Ｂ】本実施形態における移動販売車の表示部が上昇した状態を示す模式図である。
【図２Ａ】本実施形態における昇降機構の詳細を示す模式図である。
【図２Ｂ】本実施形態における昇降機構４０が上昇した状態を示す模式図である
【図３】昇降機構４０を構成する保持枠４１の斜視図である。
【図４】昇降機構４０を構成する可動域支柱４２の斜視図である。
【図５】昇降機構４０を構成するウインチ４３の斜視図である。
【発明を実施するための形態】
【００２１】
以下、本発明を実施するための形態について図を参照しながら説明する。なお、これはあくまでも一例であって、本発明の技術的範囲はこれに限られるものではない。
【００２２】
［移動販売車１の全体構成］
図１Ａ及び図１Ｂは、第一実施形態に係る移動販売車１の全体構成を示す模式図である。図１Ａにおいては、後述する昇降機構は下降状態となっており、図１Ｂにおいては、昇降機構は上昇状態となっている。
【００２３】
移動販売車１は、移動販売車１を駆動するための車両部１０と、内部に販売する物品を搭載可能な荷台部２０と、販売内容及び／又は店舗を宣伝する画面を表示する昇降可能な表示部３０と、表示部３０を昇降可能に支持する昇降機構４０とを備える。
【００２４】
車両部１０は、図示しないエンジンないしはモータを備え、荷台部２０に搭載された物品や人を目的地まで運搬することができる。車両部１０と荷台部２０は図示しない接続部によって接続されている。
【００２５】
車両部１０の構成は、周知の小型トラック等のものと同様であり、運転席に着座した運転手のアクセル・ブレーキ操作及びハンドル操作によって駆動せしめる。
【００２６】
荷台部２０は、販売する物品を内部に搭載するものである。また、物品を搭載するだけでなく、ガスコンロ等の加熱調理器具を備える調理場が設置され、荷台部２０内において、調理者が食材を焼く・揚げる等の調理を実施することができるよう構成されているものが望ましい。
【００２７】
表示部３０の種類は、特に限定されない。表示部３０として、例えば、周知の形式の液晶モニタが挙げられる。ただ、表示部３０が車両の外部に設置されることを考慮すると、表示部３０は薄型のパネル状のものが使用されることが好ましい。
【００２８】
このように、荷台部２０に調理場が設置された移動販売車はキッチンカーと呼ばれ、各種イベントへの出店や、オフィス街での路上販売等、幅広く活用されている。
【００２９】
キッチンカーを始めとする移動販売車は、小回りが利き、荷台に積載した物品を様々な場所に移動せしめて販売することができるため、活用範囲が広い一方で、小型トラック程度の大きさであるため、高さが低く、遠くからは視認しづらく、遠くにいるお客さんへのアピールが不足するという問題がある。特に、トンネルを通過する際や立体駐車場に駐車する際の高さ制限のため、天井よりも高い位置に看板等を立てにくいという課題があった。
【００３０】
また、荷台部の一部を広告のスペースとして確保すると、表示自体が小さくならざるを得ず、遠くからでは表示内容を把握することができないため、集客力が弱いという問題があった。
【００３１】
そこで本実施形態に係る移動販売車１では、昇降可能な表示部３０を備え、停車して物品を販売する際には表示部３０を上昇させて、遠くからでも視認可能にせしめるとともに、走行中には表示部３０を下降させて、トンネルや立体駐車場の高さ制限にかからないよう、表示部３０の設置高さを調整可能に構成している。
【００３２】
［昇降機構４０の具体的な構成］
次に、図２〜図５を用いて、表示部３０を昇降可能に支持する昇降機構４０の具体的な構成について説明する。図２Ａにおいて、昇降機構４０は下降状態となっており、図２Ｂにおいて、昇降機構４０は上昇状態となっている。
【００３３】
昇降機構４０は、表示部３０を保持する保持枠４１と、保持枠４１を上下方向にスライド可能に支持する可動域支柱４２と、保持枠４１を昇降させるウインチ４３とによって構成される。なお、図２Ａ及び図２Ｂにおいて、ウインチ４３は図示を省略している。
【００３４】
図３に斜視図を示すように、保持枠４１は、表示部３０を設置するための複数の横枠部材４１ａと縦枠部材４１ｂとの組み合わせによって略矩形状の枠を呈するよう構成され、縦枠部材４１ｂには、後述するガイド溝４２ａに沿ってスライド移動可能に挿入されるスライド凸部４１ｃが略上下方向に形成される。
【００３５】
また、保持枠４１には、保持枠４１を上下方向に駆動するためのウインチ４３のフック４３ａを係止する係止部４１ｄが形成される。なお、図３においては、係止部４１ｄは保持枠４１の最下部に配設されているが、これに限ったものではなく、保持枠４１に配設されていれば、いずれの箇所であっても構わない。また、係止部４１ｄは一カ所に限らず、複数箇所に配設されていても構わない。
【００３６】
図２Ａ及び図２Ｂに示すように、可動域支柱４２は、保持枠４１を側方から挟み込んで支持することができるよう、荷台部２０に略上下方向に二本配設されている。それぞれの可動域支柱４２にはガイド溝４２ａが略上下方向に形成されており、ガイド溝４２ａには保持枠４１に形成されたスライド凸部４１ｃが挿入される。
【００３７】
可動域支柱４２の上端は、荷台部２０の上面から突出しないよう配設することが望ましい。可動域支柱４２の上端が荷台部２０の上面から突出すると、トンネル等の高さ制限にかかる可能性があり、移動販売車の運用や許認可の取得が困難となる。
【００３８】
図５に示すように、ウインチ４３は、図示しないモータ等の駆動手段と、保持枠４１に形成された係止部４１ｄに係止されるフック４３ａと、駆動手段によって巻き取り又は繰り出されるワイヤー４３ｂとによって構成される。ワイヤー４３ｂはリールに巻かれており、駆動手段の動きに応じて、巻き取り動作又は繰り出し動作が行われる。
【００３９】
本実施形態においては、ウインチ４３を荷台部２０の上面に設置している。ウインチ４３を荷台部２０の上面に設置することで、荷台部２０側面のスペースを表示部３０のために確保することができるため、横方向に大きな表示部３０を設置することができる。
【００４０】
また、本実施形態に係る表示部３０及び昇降機構４０は、荷台部２０の外部に配設している。表示部３０及び昇降機構４０を荷台部２０の外部に配設することで、既存の移動販売車に後付けして組み付けることができるため、汎用性の高い装置構成とすることができる。
【００４１】
以上のように構成された昇降機構４０によると、保持枠４１に取り付けられた表示部３０は、ウインチ４３の動きに応じて上下方向に移動する。
【００４２】
つまり、車両を停止させ営業を開始する際においては、ワイヤー４３ｂを巻き取る方向にウインチ４３を駆動することで、保持枠４１に形成されたスライド凸部４１ｃをガイド溝４２ａに沿って移動させ、表示部３０を上昇することができる。そして、スライド凸部４１ｃの上端がガイド溝４２ａの上端に当接する位置で上昇が止まる。
【００４３】
また、車両を移動する際には、ワイヤー４３ｂを繰り出す方向にウインチ４３を駆動することで、スライド凸部４１ｃをガイド溝４２ａに沿って移動させ、表示部３０を下降することができる。そして、スライド凸部４１ｃの下端がガイド溝４２ａの下端に当接する位置で下降が止まる。
【００４４】
このような構成であるため、表示部３０の移動距離は、ガイド溝４２ａの高さ方向の長さと、スライド凸部４１ｃの高さによって決定される。
【００４５】
本発明によると、走行中などは表示部３０を下降状態とすることで、トンネルや立体駐車場の高さ制限を考慮した構成としながらも、車両を店舗として使用する際には、表示部３０を上昇状態とすることで、遠くからも視認できるよう構成することができ、簡単で安価な構造でありながらも、使い勝手の良い移動販売車の表示構造を提供することができる。
【００４６】
また、上記移動販売車１の変形例として、以下のような構成を導入することができる。
【００４７】
［変形例１］
表示部３０は液晶ディスプレイ等によって構成されるため、風雨にさらされることは避けることが望ましい。そのため、保持枠４１の上昇時にのみ、表示部３０に庇がかかるような庇機構を構成することができる。
【００４８】
すなわち、保持枠４１の上端部に庇部が回動可能に設置されており、庇部の先端には、他端が可動域支柱４２に固定されたワイヤーの一端が固定されている。
【００４９】
そして、保持枠４１が下降状態にあるときにはワイヤーは緩んだ状態となっており、庇部は格納されている。そして、保持枠４１の上昇に伴ってワイヤーが伸長されると、ワイヤーが伸びることによって庇部が展開されて表示部３０の上方を覆うことができるようになる。
【００５０】
このようにすることで、昇降機構の昇降機能を使用して庇部が展開するよう構成することにより、簡単な構成で表示部３０を保護することが可能な移動販売車を構成することができる。
【００５１】
［変形例２］
また、表示部３０が風雨にさらされることを防止するため、表示部３０を前方（車両の進行方向からすると側方）に傾斜させて支持することができる。
【００５２】
すなわち、図４においては、可動域支柱４２のガイド溝４２ａは、略鉛直方向に形成されているが、表示部３０が斜め下方に傾斜して支持されるよう、角度をつけて形成することによって、直上からの雨をしのぐことができる。
【００５３】
［変形例３］
表示部３０及び昇降機構４０を荷台部２０の内部に配設して、表示部３０の上昇時のみ、荷台部２０の上面から突出するよう構成することができる。
【００５４】
すなわち、荷台部２０の上面に、表示部３０と保持枠４１がちょうど通過できる程度の大きさの開口部を穿設しておき、開口部の下方で荷台部２０の内部に表示部３０及び保持枠４１が配設されるよう、昇降機構４０全体を配置する。また、表示部３０及び保持枠４１の上端を開口部と略同一の高さに形成することで、開口部をほぼ塞ぐことができ、荷台部２０内に雨水が浸入することを防止しつつ、表示部３０及び保持枠４１が突出可能な構造を提供できる。
【００５５】
このように、表示部３０及び昇降機構４０を荷台部２０の内部に配設することで、風雨だけでなく走行時に飛来する小石などから表示部３０を保護することができる。
【００５６】
［変形例４］
表示部３０を窓の替わりとして使用することができる。つまり、一般に、移動販売車の荷台部２０には、店舗として使用する際に利用される窓が形成されている。このような窓は、荷台部２０に形成された窓枠に開閉可能な窓部材が嵌め込まれることで形成されており、走行中は窓部材は閉じた状態であり、停止時に店舗として使用する際には、窓部材は開放され、店員と客が物品や金銭のやり取りをする際に使用される。
【００５７】
本発明に係る表示部３０を窓部材として使用することで、昇降機構４０の昇降機能を窓部材の開閉に利用することができる。すなわち、表示部３０及び保持枠４１を荷台部２０に設けられた窓枠を覆うに必要な大きさに形成し、表示部３０の下降状態において窓枠を覆うように位置を決定する。また、表示部３０の上昇状態において窓枠を開放するように位置を決定する。
【００５８】
このようにすることで、走行中は表示部３０を下降状態として、窓が閉じられた状態とする。車両を停止して店舗として使用する際には、表示部３０を上昇状態とし、遠方から表示部３０が視認できるようにするとともに、窓が開放され、客と荷台部２０の中にいる店員とのやり取りができるようにする。
【００５９】
［変形例５］
ウインチ４３を荷台部２０の側面に設置することができる。ウインチ４３を荷台部２０の側面に設置することで、ウインチ４３がトンネル等の高さ制限にかかることがなく、移動販売車を運用することができる。
【００６０】
［変形例６］
さらに、ウインチ４３を、表示部３０が設置されている側面とは逆の荷台部２０の側面に設置することができる。表示部３０が設置されている側面とは逆の荷台部２０の側面にウインチ４３を設置して、ワイヤー４３ｂを複数の滑車を介して荷台部２０の上面を通して保持枠４１に係止するよう構成する。
【００６１】
このようにすることで、荷台部２０の側面を覆う程度の横方向に大きな表示部３０を設置することができるとともに、荷台部２０の上面にウインチ４３を設置することなく、高さ制限にも配慮した使い勝手の良い移動販売車の表示構造を提供することができる。
【００６２】
［変形例７］
保持枠４１、可動域支柱４２及びウインチ４３によって昇降機構４０を形成するのではなく、ラックアンドピニオンによって昇降機構４０を形成することができる。
【００６３】
すなわち、モータの回転運動をピニオンギヤに伝達し、ピニオンギヤに形成される歯に噛み合うよう歯が形成され、上下方向に延出された柱状のラックを昇降させるよう構成し、ラックに直接的又は間接的に表示部３０を設置するよう構成することで、ラックアンドピニオン機構を通じて表示部３０を昇降可能に支持することができる。
【００６４】
［変形例８］
可動域支柱４２を保持枠４１を側方から挟み込むように形成したが、これに限ったものではなく、ガイド溝４２ａにスライド凸部４１ｃを略上下方向にスライド可能に支持できるものであればよい。
【００６５】
例えば、二本（あるいはそれ以上）の可動域支柱４２を荷台部２０に略上下方向に配設し、その背面（車両の進行方向から見て側面）にガイド溝４２ａを略上下方向に形成する。そして、スライド凸部４１ｃを保持枠４１の裏面に形成して、ガイド溝４２ａから抜けない形状とすることで、保持枠４１を昇降可能に構成することができる。
【００６６】
このような構成は、可動域支柱４２を荷台部２０に設置するためのネジ穴等を、ガイド溝４２ａが形成される面に相対する面、及び、ガイド溝４２ａが形成される面に隣接する面の両方に形成することによって得られる。求められる態様に応じて、使用するネジ穴を変更することで、ガイド溝４２ａが面する向きを変更することができる。
【００６７】
このように、ガイド溝４２ａとスライド凸部４１ｃが形成される場所にバリエーションを持たせることで、様々な形状や多様な制約条件にも対応可能な昇降機構を実現することができる。
【００６８】
［変形例９］
表示部３０の表面に、表示部３０を保護する保護層を形成することができる。保護層は、透明なフィルム状のものを表示部３０の表面に貼付することによって形成してもよいし、透明で硬質な板状の部材で覆うことによって形成してもよい。
【００６９】
このように、表示部３０の表面に保護層を形成することによって、表示部３０が風雨にさらされること、あるいは、走行中に飛来する小石等によって傷つけられることを防止することができる。
【００７０】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７１】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【符号の説明】
【００７２】
１          移動販売車
１０        車両部
２０        荷台部
３０        表示部
４０        昇降機構
４１      保持枠
４１ａ  横枠部材
４１ｂ  縦枠部材
４１ｃ  スライド凸部
４１ｄ  係止部
４２      可動域支柱
４２ａ  ガイド溝
４３      ウインチ
４３ａ  フック
４３ｂ  ワイヤー
【図１Ａ】
0006925652.tif 000002
【図１Ｂ】
0006925652.tif 000003
【図２Ａ】
0006925652.tif 000004
【図２Ｂ】
0006925652.tif 000005
【図３】
0006925652.tif 000006
【図４】
0006925652.tif 000007
【図５】
0006925652.tif 000008